(57)【特許請求の範囲】
【請求項１】
取付台の前面に複数のスイッチ接点を有し、前記取付台の前面側に設けた外カバーを前記取付台側に押し込み操作することによって前記スイッチ接点を作動させる接触型起動スイッチであって、
前記外カバーの前記取付台前面側への変位を前記スイッチ接点に伝達する複数の押し込み片を一体に形成した内カバーを有し、この内カバーが前記取付台の前面に係脱可能に設けられ、
前記外カバーが、前記取付台の全周囲を被い、かつ前記外カバーの一端側の内面に、前記取付台の一端側に向かう係止部材を有し、
前記取付台は、それの前記一端側に、前記係止部材上へ進出して前記外カバーの前記取付台から離れる方向への移動を阻止する第１の状態と、前記取付台上に後退して、前記係止部材と非接触の第２の状態との間を移動するように設けられた係止フックと、この係止フックを前記第１の状態に維持するように前記取付台に設けた弾性手段とを、有し、
前記外カバーは、前記係止フックを第１の状態から第２の状態へ移行させる工具の挿通用の孔を前記外カバーの一端側に有する
前記接触型起動スイッチ。
【請求項２】
請求項１記載の接触型起動スイッチにおいて、前記取付台の前面に、電池収容部が設けられ、前記内カバーには、前記電池収容部に対応して電池交換用の開口が形成されている接触型起動スイッチ。
【発明の詳細な説明】
【０００１】
【発明の属する技術分野】
本発明は、例えば自動ドア装置等に使用される接触型起動スイッチに関し、特に、そのケース構造に関する。
【０００２】
【従来の技術】
自動ドア装置に使用される接触型起動スイッチは、自動ドア装置のドアパネルに取り付けられる。通行者が、接触型起動スイッチに接触することによって、ドアパネルが開閉動作する。
【０００３】
この接触型起動スイッチとしては、種々のものが提案されている。例えば複数の接点スイッチが設けられた取付台に、カバーを自動復帰用のバネを介して取り付けたものがある。このカバーを通行者がバネの弾性力に抗って取付台側へ押し込むと、カバーが接点スイッチに接触して、接点スイッチが作動する。押し込む力を解除すると、バネの弾性力でカバーが自己復帰する。カバーが取付台から離脱せず、かつ上記の押し込み可能なように、カバーは、取付台にネジによって係止されている。さらに、取付台には、この接触型起動スイッチの電源となる電池を収容する電池収容部が設けられている。この電池収容部には、防水等のために電池カバーが設けられている。
【０００４】
【発明が解決しようとする課題】
このように構成した接触型起動スイッチでは、カバー、自己復帰用のバネ、電池用カバーのように多くの部品が必要である。しかも、これら部品を一々取り付けなければならず、その取付作業が面倒である。また、ネジ止めも必要であって、そのためにドライバーを使用しなければならない。
【０００５】
【課題を解決するための手段】
本発明による接触型起動スイッチは、取付台の前面に複数のスイッチ接点を有している。取付台としては、例えば細長い前面を有するものを使用することができる。この場合、スイッチ接点は、例えば取付台の長さ方向に間隔をおいて配置される。前記取付台の前面側に設けた外カバーを前記取付台側に押し込み操作することによって前記スイッチ接点が作動する。外カバーとしては、例えば前記取付台の前面を覆うものが望ましい。更に、内カバーが設けられている。内カバーは、外カバーと取付台の前面との間に設けられる。内カバーには、前記外カバーの前記取付台の前面側への変位を前記スイッチ接点に伝達する複数の押し込み片が一体に形成されている。押し込み片は、各スイッチ接点に対応して設けることが望ましい。この内カバーは、取付台の前面に係脱可能に設けられている。例えば、取付台に係止手段を設け、この係止手段に係合可能な第１の係合手段を内カバーに設けることができる。外カバーは、取付台の全周囲を被い、かつ外カバーの一端側の内面に、取付台の一端側に向かう係止部材を有している。取付台は、それの一端側に、係止部材上へ進出して外カバーの取付台から離れる方向への移動を阻止する第１の状態と、取付台上に後退して、係止部材と非接触の第２の状態との間を移動するように設けられた係止フックを有している。更に、取付台は、この係止フックを第１の状態に維持するように取付台に設けた弾性手段も、有している。外カバーは、係止フックを第１の状態から第２の状態へ移行させる工具の挿通用の孔を外カバーの一端側に有有している。なお、取付台には、この接触型起動スイッチの動作電源となる電池の収容部を設けることもできる。この場合、内カバーが電池収容部のカバーとしても機能し、別途に電池カバーを設ける必要はない。
【０００６】
このように構成された接触型起動スイッチでは、使用される部品は、取付台、内カバー及び外カバーだけであり、部品点数が少なく、製造が容易である。しかも、内カバーは取付台に係脱可能に設けられ、外カバーも取付台に係脱可能に設けられている。従って、内カバー及び外カバーの取付台への取付には、ネジ等が不要であり、比較的簡単に内カバー及び外カバーの取付、取り外しを行うことができ、ネジを螺合させるためのドライバのような工具も不要である。
【０００７】
前記取付台の前面に、この接触型起動スイッチの動作電源となる電池の電池収容部を設けることができる。この場合、前記内カバーには、前記電池収容部に対応して電池交換用の開口を形成する。
【０００８】
このように構成すれば、外カバーだけを外せば、内カバーの開口を介して電池を交換することができ、電池の交換のためだけに、内カバーを外す必要がなく、電池の交換作業が容易に行える。
【０００９】
【発明の実施の形態】
本発明の１実施形態の接触型起動スイッチは、図１に示すように、取付台２、内カバー４及び外カバー６を有している。
【００１０】
取付台２は、例えば合成樹脂製であり、図２に示すように細長い平板状部２ａを有している。図１に示すように、取付台２は、その両長手縁に沿って平板状部２ａに対してほぼ垂直に立ち上がった側壁２ｂ、２ｃを有している。これら側壁２ｂ、２ｃは、その両端部付近における奥行き寸法が、その中途付近における奥行き寸法よりも大きく形成されている。平板状部２ａの両端部には、それぞれ端壁２ｄ、２ｅが、平板状部２ａに対して垂直に同じ奥行き寸法だけ立ち上がっている。図４、図５に示すように、端壁２ｅの先端から平板状部２ａの前方に、これに平行に一部だけ前壁２ｆが形成され、連結壁２ｇによって平板状部２ａに結合されている。この前壁２ｆ、平板状部２ａの一部、側壁２ｂ、２ｃの一部、連結壁２ｇ及び端壁２ｅによって空間２ｈが形成されている。この空間２ｈは、端壁２ｅ側に形成された開口２ｉによって、外部と連通している。この空間２ｈについては、後述する。
【００１１】
平板状部２ａの長さ方向の中途には、電池収容部８が形成されている。符号８ａ、８ａで示すのが、その電極であり、符号８ｂ、８ｂで示すのが、電極８ａ、８ａの保持用の壁体である。
【００１２】
この取付台２の前面、即ち、平板状部２ａの前面には、その長さ方向に沿って概略矩形のプリント基板１０が配置されている。このプリント基板１０の両端部付近、即ち取付台２の長さ方向に間隔をおいて、複数、例えば２つの接点スイッチ１４、１４が取り付けられている。プリント基板１０上には、接点スイッチ１４、１４の他に、図示していないが、接点スイッチ１４、１４のいずれかが閉成されたとき、図示しない起動信号をコントローラに送信する受信機に信号を送信するための回路が形成されている。なお、符号１６、１６で示すのは、取付台２、プリント基板１０を、ドアパネルの枠体に取り付けるための取付孔である。
【００１３】
内カバー４も、合成樹脂製で、前面壁４ａを有している。前面壁４ａは、取付台２とほぼ同じ長さ寸法及び幅寸法を有し、両端部が傾斜した板状体に形成されている。この前面壁４ａの両側縁に、その長さ方向に沿って、前面壁４ａとほぼ垂直に側壁４ｂ、４ｃが形成されている。側壁４ｂ、４ｃは、取付台２の側壁２ｂ、２ｃとは逆に、両端部の奥行き寸法が短くされ、中途の奥行き寸法が長くされている。また、前面壁４ａの両端部には、これとほぼ垂直に端壁４ｄ、４ｅが形成されている。この内カバー４は、図３、図４に示すように、それらの側壁４ｂ、４ｃが取付台２の側壁２ｂ、２ｃの先端に接触し、端壁４ｄ、４ｅが取付台２の端壁２ｄ、２ｅの先端に接触するように、配置されている。即ち、取付台２の前面を覆うように配置されている。この状態において、内カバー４の前面壁４ａと、取付台２の平板状部２ａとが、ほぼ平行になるように側壁４ｂ、４ｃの端壁付近の奥行き寸法、同中途の奥行き寸法、端壁４ｄ、４ｅの奥行き寸法が選択されている。
【００１４】
この内カバー４の前面壁４ａには、押し込み片１８、１８が形成されている。これら押し込み片１８、１８は、内カバー４を取付台２の前面に取り付けた状態において、接点スイッチ１４、１４に対応する位置に設けられている。即ち、接点スイッチ１４、１４の前方に、押し込み片１８、１８の円板状の頭部１８ａ、１８ａが位置し、これから取付台２の長さ方向に沿って首部１８ｂ、１８ｂが伸延している。これら押し込み片１８、１８は、前面壁４ａを切り込むことによって形成されており、前面壁４ａと同じ奥行き位置に位置している。前面壁４ａが合成樹脂製であるので、押し込み片１８、１８は弾性を有し、頭部１８ａ、１８ａに力を加えて、接点スイッチ１４、１４側に押し込んだ後、その力を抜くと、元の状態に復帰する。図２に示すように、頭部１８ａ、１８ａの内面には、頭部１８ａ、１８ａが押し込まれたとき、接点スイッチ１４、１４に接触する小円柱状のピン１８ｃ、１８ｃが、一体に形成されている。
【００１５】
また、内カバー４が取付台２の前面を覆った状態において、電極保持壁８ｂ、８ｂの外側において、これら保持壁８ｂ、８ｂに接触するように、内カバー４の内面の中央部には長さ方向に間隔をあけて、補強壁２０、２０が一体に形成されている。補強壁２０、２０の先端は、電極保持壁８ｂ、８ｂへの接触を容易にするために、テーパー状とされている。内カバー４を取付台２の前面に取り付けた状態において、電極保持壁８ｂ、８ｂの先端は、内カバー４の前面壁４ａの内面に接触している。
【００１６】
この内カバー４を取付台２に係脱可能に取り付けるために、内カバー４と取付台２とに係脱手段が設けられている。例えば、内カバー４の側壁４ｂ、４ｃの長さ方向の中間部には、内カバー４の内側に向かって窪んだ係止凹所２２が形成されている。この係止凹所２２には、内カバー４の長さ方向に間隔をあけて、複数個、例えば３つの係止突部２４が形成されている。これら係止突部２４は、側壁４ｂ、４ｃよりも外方には突出しないように、その突出量が設定されている。
【００１７】
内カバー４を取付台２の前面に取り付けた状態において、係止凹所２２に対応する取付台２の側壁２ｂ、２ｃの位置には、係止片２６、２６が平板状部２ａにほぼ垂直に立ち上がっている。この立ち上がり量は、この係止片２６が係止凹所２２内に収容される量に設定されている。これら係止片２６、２６には、各係止突部２４、２４に対応するように、係止孔２８、２８が３つずつ形成されている。これら係止孔２８は、係止突部２４、２４が侵入可能な大きさに形成されている。
【００１８】
従って、内カバー４を取付台２に取り付けるために、取付台２の前面の前方から内カバー４を取付台２に向けて接近させると、係止突部２４、２４が係止片２６、２６に接触し、これらが係止片２６、２６を外方に撓ませながら、取付台２に近づき、やがて係止突部２４、２４は、係止孔２８、２８に係合する。この係合状態では、係止片２６、２６は、その弾性によって元の位置に復帰している。例えば係止片２６、２６を幾分外方に引っ張れば、係止突部２４、２４が係止孔２８、２８から離脱し、内カバー４を取付台２から外すことができる。
【００１９】
このように、内カバー４は、取付台２に対して係脱自在であり、しかも、その取付には、ネジ等が一切使用されてなく、比較的容易に取付、取り外しが行える。なお、内カバー４を取付台２に取り付けた状態では、前面壁４ａのうち補強壁２０、２０間の部分が、電池収容部の前方にあり、電池カバーとしても機能しており、別途に電池カバーを設ける必要はない。
【００２０】
外カバー６も合成樹脂製であり、前面壁６ａを有している。この前面壁６ａは、取付台２の平板状部２ａよりも一回り長さ寸法及び幅寸法が大きく、その両端部が共に傾斜した板状体に形成されている。この前面壁６ａの両側縁に、その長さ方向に沿って側壁６ｂ、６ｃが前面壁６ａにほぼ垂直に形成されている。前面壁６ａの両端縁に、端壁６ｄ、６ｅが前面壁６ａにほぼ垂直に形成されている。図３に示すように、外カバー６の前面壁６ａの内面が、取付台２に取り付けられた内カバー４の前面壁４ａの外面に接触している状態において、取付台２の板状部２ａ付近に外カバー６の側壁６ｂ、６ｃ及び端壁６ｄ、６ｅの先端が位置するように、外カバー６の側壁６ｂ、６ｃ及び端壁６ｄ、６ｅの奥行き寸法が選択されている。また、外カバー６の側壁６ｂ、６ｃ、端壁６ｄ、６ｅは、取付台２の側壁２ｂ、２ｃ、端壁６ｄ、６ｅ、内カバー４の側壁４ｂ、４ｃ、端壁４ｄ、４ｅと若干の隙間を有して位置している。図２に示すように、前面壁６ａの内面には、押し込み片１８、１８の頭部１８ａ、１８ａに対応して、小円板状の押し込み突部３０、３０が形成されている。これらは、外カバー６が取付台２側に押し込まれたときに、押し込み片１８、１８の頭部１８ａ、１８ａに接触して、頭部１８ａ、１８ａを取付台２側に撓ませるためのものである。
【００２１】
端壁６ｄの後端には、取付台２側を向いた短い後面壁６ｆが取付台２にほぼ平行に形成されている。取付台２の取り付けた内カバー４の前面壁４ａの外面が外カバー６の前面壁６ａの内面に接触している状態で、この後面壁６ｆの先端が取付台２の端壁２ｄの外面にほぼ接触するように突出している。この後面壁６ｆよりも若干前方にある端壁２ｄの位置から突起部３２が、取付台２の外方に向かって突出している。従って、端壁６ｄ側が前方に移動しても、後面壁６ｆが突起部３２に接触し、それ以上に外カバー６が前方に移動することを防止している。
【００２２】
また、端壁６ｅの後端にも、取付台２側を向いた短い後面壁６ｇが取付台２にほぼ平行に形成されている。この後面壁６ｇの先端は、図４に示すように、取付台２の端壁２ｅの外面側に接近している。
【００２３】
例えば、この後面壁６ｇを用いて、取付台２に外カバー６を係脱可能にかつ遊嵌状態に取り付けるため、上述した取付台２の空間２ｈには、係止フック３４が設けられている。この係止フック３４は、図５に示すように中央部がくり抜かれた平板状部３４ａを有し、そのくりぬき部分には、平板状部３４ａと一体に形成された弾性部材、例えばバネ部材３４ｂが配置されている。このバネ部材３４ｂには、バネ止め３４ｃが形成され、これが前壁２ｆに挿通されている。このバネ部材３４ｂは、平板状部３４ａを端壁４ｅ側に押し出す付勢力を平板状部３４ａに与えており、平板状部３４ａのテーパー面に形成された係合部３４ｄが開口２ｉを介して後面壁６ｇの内面に接触して、係合している。この係合状態では、外カバー６を前方に移動させようとしても、後面壁６ｇが係合部３４ｄに接触しているので、外カバー６が前方に移動することはない。なお、この係合状態を解除する場合、端壁６ｅに形成した係止解除孔３６から適当な工具を外カバー６内に挿入し、係合部３４ｄを空間２ｇ内に後退させれば、係合部３４ｄの後面壁６ｇへの係合状態を解除でき、外カバー６を取付台２から取り外すことができる。
【００２４】
このように、外カバー６の取付台２への取付にも、ネジ等が使用されていないので、取付が容易に行えるし、ネジをまわすための工具も不要である。
【００２５】
このように構成された接触型起動スイッチでは、外カバー６のいずれかの箇所に通行者が接触して、取付台２側に外カバー６を押すと、外カバー６の押し込み突部３０、３０のいずれかが、対応する押し込み片１８の頭部１８ａを取付台２側に押圧し、その内面側のピン１８ｃが対応する接触スイッチ１４を押圧する。これに基づいて、プリント基板１０上の図示しない回路が受信機に信号出力し、ドアパネルが開閉動作を行う。また、外カバー６への押し込みを通行者が中止すると、撓んでいた押し込み片１８が元の位置に自己復帰する。
【００２６】
以上のように、本実施の形態の起動スイッチによれば、ネジ等が使用されてなく、内カバー４及び外カバー６の取付及び取り外しが容易に行え、ネジを回すための工具を取付、取り外しに使用する必要がない。
【００２７】
上記の実施の形態では、内カバー４の上面壁４ａによって電池収容部８の上方を覆っているので、電池を交換する場合、内カバー４を外す必要がある。しかし、図１に点線で示すように内カバー４の上面壁４ａの電池収容部８に対応する位置、例えば補強壁２０、２０の間に、上面壁４ａの前後方向に貫通する矩形の開口を開口しておけば、この開口を介して電池の交換を行うことができるので、一々内カバー４を外す必要がなくなり、電池交換を円滑に行うことができる。
【００２８】
上記の実施の形態では、取付台２側に係止孔２８を設け、内カバー４側に係止突部２４を設けたが、逆に取付台２側に係止突部を設け、内カバー４側に係止孔を設けることもできる。また上記の実施の形態では、係止フック３４の係合部３４ｄを、外カバー６の後面壁６ｇに係止させたが、後面壁６ｇを除去し、係止解除孔３６に代えて、係合部３４ｄに対応した大きさの係止孔を形成し、この係止孔に係合部３４ｄを係止させてもよい。この場合、係合部３４ｄが係止孔に係止するように、係止フックのバネ３４ｂの付勢力を強める。また、上記の実施の形態では、２つの接点スイッチ１４を使用したが、さらに多くの接点スイッチを使用してもよい。
【００２９】
【発明の効果】
以上のように、本発明によれば、内カバー及び外カバーの取付台への取付及び取り外しが容易に行え、かつそのための特別な工具も不要である。さらに、電池の交換を容易にすることもできる。
【図面の簡単な説明】
【図１】本発明の１実施形態の接触型起動スイッチの組み立て斜視図である。
【図２】図１の接触型起動スイッチの組立縦断面正面図である。
【図３】図１の接触型起動スイッチを組み立てた状態における図２のＡ−Ａ線に沿う断面図である。
【図４】図１の接触型起動スイッチを組み立てた状態における部分省略縦断面正面図である。
【図５】図４のＢ−Ｂ線に沿う横断面図である。
【符号の説明】
２  取付台
４  内カバー
６  外カバー
３４  係止フック
【図１】
0004043747.tif 000002
【図２】
0004043747.tif 000003
【図３】
0004043747.tif 000004
【図４】
0004043747.tif 000005
【図５】
0004043747.tif 000006